(57)【要約】【課題】製造コストの上昇を抑えつつ電源装置のぐらつきの抑制を図る。【解決手段】ポール式照明装置１は、照明用ポール２と、照明用ポール２に取り付けられる照明器具３と、照明器具３を点灯させる電源装置４と、電源回路４１を収容する筐体４０とを有する。照明用ポール２は、ポール本体２０と、ポール本体２０に設けられた開口部２００を塞ぐ蓋２１と、蓋２１をポール本体２０に固定するための一本以上の雄ねじ２２とを有する。ポール本体２０の内壁面において電源装置４と対向する位置にねじ孔２０１が設けられている。第１の雄ねじ２２Ａのねじ部２２０がねじ孔２０１にねじ込まれた状態において、ねじ部２２０の先端が筐体４０に当たるか、あるいは筐体４０と先端との距離が所定の距離以下である。【選択図】        図５
2019192457.tif 000002
【特許請求の範囲】
【請求項１】
照明用ポールと、
前記照明用ポールに取り付けられる照明器具と、
前記照明器具を点灯させる電源装置と、
を備え、
前記照明器具は、
電気的な光源と、
前記光源を支持する器具本体と
を有し、
前記電源装置は、
前記光源に電力を供給する電源回路と、
前記電源回路を収容する筐体と
を有し、
前記照明用ポールは、
内部が空洞である筒状のポール本体と、
前記ポール本体に設けられた開口部を塞ぐ蓋と、
前記蓋を前記ポール本体に固定するための一本以上の雄ねじと
を有し、
前記電源装置は、前記ポール本体の内壁面において前記開口部と対向する位置に取り付けられ、
前記蓋は、前記一本以上の雄ねじのねじ部がそれぞれ一つずつ通される孔を有し、
前記ポール本体の内壁面において前記電源装置と対向する位置にねじ孔が設けられており、
前記雄ねじのねじ部が前記孔に通され、かつ、前記ねじ孔にねじ込まれた状態において、前記ねじ部の先端と前記筐体との距離が所定の距離以下である、
ポール式照明装置。
【請求項２】
前記ねじ部の先端が前記筐体と接する、
請求項１記載のポール式照明装置。
【請求項３】
前記電源装置の前記筐体は、前記筐体の表面において前記ねじ部と対向する位置に緩衝部材が設けられている
請求項１又は２記載のポール式照明装置。
【請求項４】
前記電源装置の前記筐体は、前記筐体の表面において前記ねじ部と対向する位置に、前記ねじ部が差し込まれる孔又は凹部が設けられている
請求項１〜３のいずれか一項に記載のポール式照明装置。
【請求項５】
前記電源装置の前記筐体は、前記ねじ部と対向する位置の表面に複数の凹凸が形成されている
請求項１〜４のいずれか一項に記載のポール式照明装置。
【請求項６】
前記電源装置の前記筐体は、前記ポール本体の内壁面から突き出たフックに引っ掛けられる引掛部を有する
請求項１〜５のいずれか一項に記載のポール式照明装置。
【発明の詳細な説明】
【技術分野】
【０００１】
本発明は、ポール式照明装置に関し、より詳細には、照明用ポールと当該照明用ポールに取り付けられる照明器具とを備えるポール式照明装置に関する。
【背景技術】
【０００２】
従来例として特許文献１記載の照明器具用ポールを例示する。特許文献１記載の照明器具用ポール（以下、従来例という。）は、側面の一部に開口部を有している。従来例では、放電灯点灯装置（電源装置）を取り付けるための取付金具が開口部と対向する内面側側壁に設けられている。また、従来例は、開口部を塞ぐ蓋を備えている。
【０００３】
従来例では、蓋に設けられた支持部を放電灯点灯装置の胴部に当てることで放電灯点灯装置を支持している。従来例は、蓋に設けられた支持部で放電灯点灯装置を支持することにより、放電灯点灯装置のぐらつきを防止している。
【先行技術文献】
【特許文献】
【０００４】
【特許文献１】実開平４−１２３０１５号公報
【発明の概要】
【発明が解決しようとする課題】
【０００５】
ところで、上記従来例における支持部は、蓋と別体に形成されて溶接などの適宜の方法で蓋に取り付けられている。ゆえに、新たな部品（支持部）を蓋に取り付ける作業が必要となるために製造コストの上昇を招いてしまう。
【０００６】
本発明の目的は、製造コストの上昇を抑えつつ電源装置のぐらつきの抑制を図ることができるポール式照明装置を提供することである。
【課題を解決するための手段】
【０００７】
本発明の一態様に係るポール式照明装置は、照明用ポールと、前記照明用ポールに取り付けられる照明器具と、前記照明器具を点灯させる電源装置と、を備える。前記照明器具は、電気的な光源と、前記光源を支持する器具本体とを有する。前記電源装置は、前記光源に電力を供給する電源回路と、前記電源回路を収容する筐体とを有する。前記照明用ポールは、内部が空洞である筒状のポール本体と、前記ポール本体に設けられた開口部を塞ぐ蓋と、前記蓋を前記ポール本体に固定するための一本以上の雄ねじとを有する。前記電源装置は、前記ポール本体の内壁面において前記開口部と対向する位置に取り付けられている。前記蓋は、前記一本以上の雄ねじのねじ部がそれぞれ一つずつ通される孔を有している。前記ポール本体の内壁面において前記電源装置と対向する位置にねじ孔が設けられている。前記雄ねじのねじ部が前記孔に通され、かつ、前記ねじ孔にねじ込まれた状態において、前記ねじ部の先端と前記筐体との距離が所定の距離以下である。
【発明の効果】
【０００８】
本発明のポール式照明装置は、製造コストの上昇を抑えつつ電源装置のぐらつきの抑制を図ることができるという効果がある。
【図面の簡単な説明】
【０００９】
【図１】図１は、本発明の一実施形態に係るポール式照明装置の一部省略した側面図である。
【図２】図２は、同上のポール式照明装置における照明器具の斜視図である。
【図３】図３Ａは、同上のポール式照明装置における電源装置の正面図である。図３Ｂは、同上の電源装置の平面図である。図３Ｃは、同上の電源装置の下面図である。図３Ｄは、同上の電源装置の右側面図である。
【図４】図４は、同上のポール式照明装置における一部省略した照明用ポール及び電源装置の分解斜視図である。
【図５】図５は、同上のポール式照明装置における一部省略した照明用ポール及び電源装置の断面図である。
【図６】図６Ａは、同上のポール式照明装置の第１の変形例における電源装置の一部省略した斜視図である。図６Ｂは、同上のポール式照明装置の第２の変形例における電源装置の一部省略した斜視図である。図６Ｃは、同上のポール式照明装置の第３の変形例における電源装置の一部省略した斜視図である。
【発明を実施するための形態】
【００１０】
以下、図面を参照して、実施形態に係るポール式照明装置を説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態のポール式照明装置１は、図１、図２及び図４に示すように、照明用ポール２と、照明用ポール２に取り付けられる照明器具３と、照明器具３を点灯させる電源装置４とを備える。
【００１２】
照明用ポール２は、ポール本体２０と蓋２１を有する。ポール本体２０は、鋼板などの金属材料によって、内部が空洞である円筒状に形成されている。ただし、ポール本体２０は円筒状に限定されず、角筒状に形成されてもかまわない。ポール本体２０の側面（周面）に長円形の開口部２００が設けられている（図４参照）。開口部２００は、ポール本体２０の側面を貫通してポール本体２０の内部とポール本体２０の外部とを繋いでいる。
【００１３】
蓋２１は、鋼板などの金属材料によって長円形に形成されている。ただし、蓋２１は、ポール本体２０の側面に沿うように弧状に湾曲している。蓋２１の長軸方向の両端に円形の孔２１０が一つずつ貫通している（図４参照）。これら二つの孔２１０に雄ねじ２２が一本ずつ通される。ただし、二本の雄ねじ２２のうちの一方の雄ねじ２２（以下、第１の雄ねじ２２Ａと呼ぶ場合がある。）のねじ部２２０は、図５に示すように、他方の雄ねじ２２（以下、第２の雄ねじ２２Ｂと呼ぶ場合がある。）のねじ部２２０よりも長い。
【００１４】
ポール本体２０の側面において、開口部２００の上下両側にねじ孔２０１が一つずつ設けられている。開口部２００の上側のねじ孔２０１に、第１の雄ねじ２２Ａのねじ部２２０がねじ込まれる。また、開口部２００の下側のねじ孔２０１に、第２の雄ねじ２２Ｂのねじ部２２０がねじ込まれる。つまり、蓋２１は、二本の雄ねじ２２によってポール本体２０の側面にねじ止めされる。そして、ポール本体２０の開口部２００は、ポール本体２０にねじ止めされた蓋２１によって塞がれる（図５参照）。
【００１５】
照明器具３は、図１及び図２に示すように、二つのＬＥＤユニット３０、器具本体３１、グローブ３２、アーム３３を備える。ただし、以下の説明では、特に断りのない限り、図２に矢印で示す方向において照明器具３の上下、前後及び左右の各方向を規定する。
【００１６】
器具本体３１は、円板状の天板３１０と、天板３１０の周縁から全周に渡って下向きに突き出た側壁３１１とを有する。天板３１０と側壁３１１は、鋼板などの金属材料によって一体に形成されている。
【００１７】
アーム３３は、アルミダイカストによって中空の円筒形状に形成されている。アーム３３の上端に器具本体３１の天板３１０が固定されている。アーム３３は、照明用ポール２の柱頭（ポール本体２０の上端部分）を内部に収めるようにして照明用ポール２に取り付けられる（図１参照）。
【００１８】
グローブ３２は、円盤状の底板３２０と、底板３２０の周縁から全周に渡って上向きに突き出た側板３２１とを有する（図２参照）。底板３２０と側板３２１は、アクリル樹脂などの透光性を有する材料で一体に形成されている。アーム３３が通される円形の孔が底板３２０の中央に貫通している。グローブ３２は、側板３２１を側壁３１１の内側に収めるようにして器具本体３１に取り付けられる（図２参照）。
【００１９】
二つのＬＥＤユニット３０の各々は、ＬＥＤモジュール３００と、ＬＥＤモジュール３００を支持するホルダ３０１と、ＬＥＤモジュール３００と電源装置４との電気的な接続を行うための二つのコネクタ３０２と、放熱板３０３とを有する。ＬＥＤモジュール３００は、基板の一表面に複数個のＬＥＤチップが実装され、かつ、それら複数個のＬＥＤチップが封止樹脂で封止された、いわゆるＣＯＢ（Chip On Board）タイプのＬＥＤモジュールである。二つのコネクタ３０２のうちの一つのコネクタ３０２は、ＬＥＤモジュール３００のプラス電極（アノード電極）とプラス極の電線（不図示）を電気的に接続する。また、残り一つのコネクタ３０２は、ＬＥＤモジュール３００のマイナス電極（カソード電極）とマイナス極の電線（不図示）を電気的に接続する。ホルダ３０１はＬＥＤモジュール３００と二つのコネクタ３０２を支持して放熱板３０３に取り付けられる。放熱板３０３は、アルミ又はアルミ合金によって平板状に形成されている。二つのＬＥＤユニット３０の各々は、放熱板３０３が器具本体３１の天板３１０にねじ止めされることによって器具本体３１に取り付けられる（図２参照）。
【００２０】
電源装置４は、二つのＬＥＤユニット３０の各々に電力を供給する電源回路４１と、電源回路４１を収容する筐体４０と、筐体４０をポール本体２０に取り付けるための取付金具４２とを有する（図３Ａ〜図３Ｄ及び図４参照）。
【００２１】
電源回路４１は、例えば、商用の電力系統から供給される交流電力を整流・平滑する力率改善回路と、力率改善回路から出力される直流電圧を降圧する降圧チョッパ回路とを有する。ただし、電源回路４１は、力率改善回路と降圧チョッパ回路の代わりに昇降圧チョッパ回路を有していてもよい。電源回路４１は、プリント配線板に多数の電子部品が実装されて構成されるプリント回路として実現されている。
【００２２】
筐体４０は、アルミ又はアルミ合金によって中空の角柱状に形成されている。筐体４０の内部に電源回路４１が収容される（図３Ａ参照）。筐体４０の二つの底面（筐体４０の長手方向に対向した二つの底面）のうちの一つの底面に二つの孔４０１、４０２が設けられている（図３Ｃ参照）。これら二つの孔４０１のうちの一方の孔４０１から入力用の三本の口出し線（電線）４０３が引き出されている。三本の口出し線は、電源用の二本の口出し線４０３と、接地用の一本の口出し線４０３である。また、二つの孔４０１のうちの他方の孔４０１から出力用の二本の口出し線（電線）４０４が引き出されている。なお、口出し線４０３、４０４と各孔４０１の縁との間の隙間は、シリコーン樹脂製のブッシング４０５で塞がれている（図３Ｃ参照）。
【００２３】
取付金具４２は、長方形状の固定片４２０と、Ｌ字形に形成されて固定片４２０の長手方向の両端からそれぞれ突き出た一対の脚片４２１とを有する。なお、固定片４２０と一対の脚片４２１とは、鋼板などの金属材料によって一体に形成される。固定片４２０に電源装置４の筐体４０が固定される（図３Ａ〜図３Ｄ参照）。一対の脚片４２１のうちの一方の脚片４２１に引掛部４２２が形成されている。引掛部４２２は、一方の脚片４２１の一部がおおよそＣ字状に切り欠かれて形成されている（図３Ａ、図３Ｂ参照）。つまり、引掛部４２２は、脚片４２１において、おおよそＣ字状に切り欠かれた部分の縁からなる。
【００２４】
上述のように構成される電源装置４は、取付金具４２を用いて照明用ポール２のポール本体２０に取り付けられる。以下、電源装置４をポール本体２０に取り付ける際の作業を説明する。ポール式照明装置１を設置する施工者は、開口部２００から電源装置４をポール本体２０内に入れる。また、作業者は、ポール本体２０内に入れた電源装置４を、開口部２００と反対側のポール本体２０の内側の側面から突き出たフック２０２に引掛部４２２を引っ掛ける（図４参照）。作業者は、電源装置４から引き出された口出し線４０３を、ポール本体２０内に立ち上げ配線された電源線６と電気的に接続する。また、作業者は、電源装置４から引き出された口出し線４０４を、照明器具３の二つのＬＥＤユニット３０から引き出された電線４３と電気的に接続する。最後に、作業者は、二本の雄ねじ２２を用いてポール本体２０の側面に蓋２１をねじ止めする。以上のようにして、照明用ポール２に対する電源装置４の取付作業が完了する（図５参照）。
【００２５】
ここで、ポール式照明装置１では、二本の雄ねじ２２のうちの一本の雄ねじ２２（第１の雄ねじ２２Ａ）のねじ部２２０を他の一本の雄ねじ２２（第２の雄ねじ２２Ｂ）のねじ部２２０よりも長くしている。その結果、ポール式照明装置１では、第１の雄ねじ２２Ａのねじ部２２０の先端と電源装置４の筐体４０との距離が所定の距離以下となり、第１の雄ねじ２２Ａによって電源装置４のぐらつきの抑制を図ることができる。しかも、ポール式照明装置１は、蓋２１をポール本体２０に固定するための雄ねじ２２（第１の雄ねじ２２Ａ）によって電源装置４のぐらつきの抑制を図っている。そのため、ポール式照明装置１は、特許文献１記載の従来例のように、電源装置４のぐらつきを抑制することだけを目的とした部材（支持部）を蓋に設ける場合と比較して、蓋２１の製造コストの上昇を抑えることができる。
【００２６】
なお、ポール式照明装置１において、第１の雄ねじ２２Ａのねじ部２２０の先端を電源装置４の筐体４０に当てる（接触させる）ことが好ましい。ポール式照明装置１は、第１の雄ねじ２２Ａのねじ部２２０の先端を電源装置４の筐体４０に当てる（接触させる）ことにより、電源装置４のぐらつきの更なる抑制を図ることができる。
【００２７】
また、ポール式照明装置１は、地震の揺れによって電源装置４が移動することも抑制できる。そのため、ポール式照明装置１は、地震の揺れによって電源装置４が移動する範囲を規制することができる。その結果、ポール式照明装置１は、引掛部４２２がフック２０２から外れて電源装置４が照明用ポール２のポール本体２０の底に落下することを防止できる。ここで、ねじ部２２０の先端と電源装置４の筐体４０との距離の上限となる所定の距離は、ポール本体２０の内側面からフック２０２の先端までの水平距離Ｄ１（図５参照）以下であることが好ましい。
【００２８】
次に、ポール式照明装置１の幾つかの変形例を説明する。ただし、以下に説明する各変形例は、電源装置４の筐体４０に特徴があるので、電源装置４以外の構成要素の図示並びに説明を省略する。
【００２９】
第１の変形例では、筐体４０の表面において第１の雄ねじ２２Ａのねじ部２２０と対向する位置に緩衝部材５０が設けられている（図６Ａ参照）。緩衝部材５０は、例えば、ニトリルゴム、フッ素ゴム、ウレタンゴム、シリコーンゴムなどの合成ゴムによって平板状に形成されることが好ましい。
【００３０】
ここで、筐体４０とねじ部２２０の先端との距離は、電源装置４の引掛部４２２がフック２０２に引っ掛けられた位置、及びポール本体２０や蓋２１の寸法ばらつきなどの影響でばらつくと考えられる。しかしながら、第１の変形例では、筐体４０の表面において第１の雄ねじ２２Ａのねじ部２２０と対向する位置に緩衝部材５０が設けられている。そのため、筐体４０とねじ部２２０の先端との距離のばらつきがあってもねじ部２２０の先端と筐体４０との距離を所定の距離以下に保つことができる。しかも、第１の雄ねじ２２Ａのねじ部２２０の先端が緩衝部材５０に当たった場合、筐体４０が第１の雄ねじ２２Ａのねじ部２２０から受ける力を緩衝部材５０によって和らげることができる。
【００３１】
第２の変形例では、筐体４０の表面において第１の雄ねじ２２Ａのねじ部２２０と対向する位置に凹部４０６が設けられている（図６Ｂ参照）。凹部４０６は、例えば、円筒形状に形成されることが好ましい。なお、凹部４０６の代わりに、筐体４０の前面の壁を貫通する孔が設けられてもかまわない。
【００３２】
第２の変形例では、筐体４０の表面に設けられた凹部４０６に第１の雄ねじ２２Ａのねじ部２２０の先端が差し込まれる。その結果、筐体４０とねじ部２２０の先端との距離のばらつきがあってもねじ部２２０の先端と筐体４０との距離を所定の距離以下に保つことができる。
【００３３】
第３の変形例では、筐体４０の表面において第１の雄ねじ２２Ａのねじ部２２０と対向する位置に凹凸部５１が形成されている（図６Ｃ参照）。凹凸部５１は、複数の凹凸で形成されている。なお、凹凸部５１を構成する複数の凹凸は、例えば、金属製の筐体４０の表面に梨地加工、シボ加工などが施されることによって形成されることが好ましい。凹凸部５１は、筐体４０の表面に比べて表面粗さが高く（粗く）なる。その結果、第１の雄ねじ２２Ａのねじ部２２０の先端が凹凸部５１と接触している場合に、ねじ部２２０が凹凸部５１から受ける摩擦力を増大させることができる。ゆえに、第３の変形例では、ねじ部２２０と凹凸部５１の間に働く摩擦力を増大させることにより、電源装置４のぐらつきの更なる抑制を図ることができる。
【００３４】
上述のように第１の態様に係るポール式照明装置（１）は、照明用ポール（２）と、照明用ポール（２）に取り付けられる照明器具（３）と、照明器具（３）を点灯させる電源装置（４）とを備える。照明器具（３）は、電気的な光源（ＬＥＤユニット３０）と、光源を支持する器具本体（３１）とを有する。電源装置（４）は、光源に電力を供給する電源回路（４１）と、電源回路（４１）を収容する筐体（４０）とを有する。照明用ポール（２）は、内部が空洞である筒状のポール本体（２０）と、ポール本体（２０）に設けられた開口部（２００）を塞ぐ蓋（２１）と、蓋（２１）をポール本体（２０）に固定するための一本以上の雄ねじ（２２）とを有する。電源装置（４）は、ポール本体（２０）の内壁面において開口部（２００）と対向する位置に取り付けられる。蓋（２１）は、一本以上の雄ねじ（２２）のねじ部（２２０）がそれぞれ一つずつ通される孔（２１０）を有する。ポール本体（２０）の内壁面において電源装置（４）と対向する位置にねじ孔（２０１）が設けられている。雄ねじ（２２）のねじ部（２２０）が孔（２１０）に通され、かつ、ねじ孔（２０１）にねじ込まれた状態において、ねじ部（２２０）の先端と筐体（４０）との距離が所定の距離以下である。
【００３５】
第１の態様に係るポール式照明装置（１）は、雄ねじ（第１の雄ねじ２２Ａ）のねじ部（２２０）の先端と電源装置（４）の筐体（４０）との距離が所定の距離以下となり、雄ねじ（第１の雄ねじ２２Ａ）によって電源装置（４）のぐらつきの抑制を図ることができる。しかも、第１の態様に係るポール式照明装置（１）は、蓋（２１）をポール本体（２０）に固定するための雄ねじ（第１の雄ねじ２２Ａ）によって電源装置（４）のぐらつきの抑制を図っている。そのため、第１の態様に係るポール式照明装置（１）は、特許文献１記載の従来例と比較して、蓋（２１）の製造コストの上昇を抑えることができる。すなわち、第１の態様に係るポール式照明装置（１）は、製造コストの上昇を抑えつつ電源装置（４）のぐらつきの抑制を図ることができる。
【００３６】
第２の態様に係るポール式照明装置（１）は、第１の態様との組合せにより実現され得る。第２の態様に係るポール式照明装置（１）において、ねじ部（２２０）の先端が筐体（４０）と接することが好ましい。
【００３７】
第２の態様に係るポール式照明装置（１）は、電源装置（４）のぐらつきの更なる抑制を図ることができる。
【００３８】
第３の態様に係るポール式照明装置（１）は、第１又は第２の態様との組合せにより実現され得る。第３の態様に係るポール式照明装置（１）において、電源装置（４）の筐体（４０）は、筐体（４０）の表面においてねじ部（２２０）と対向する位置に緩衝部材（５０）が設けられていることが好ましい。
【００３９】
第３の態様に係るポール式照明装置（１）は、筐体（４０）の表面において雄ねじ（第１の雄ねじ２２Ａ）のねじ部（２２０）と対向する位置に緩衝部材（５０）が設けられている。そのため、第２の態様に係るポール式照明装置（１）は、筐体（４０）とねじ部（２２０）の先端との距離のばらつきがあってもねじ部（２２０）の先端と筐体（４０）との距離を所定の距離以下に保つことができる。
【００４０】
第４の態様に係るポール式照明装置（１）は、第１〜第３の態様のいずれか一つとの組合せにより実現され得る。第４の態様に係るポール式照明装置（１）において、電源装置（４）の筐体（４０）に、ねじ部（２２０）が差し込まれる孔又は凹部（４０６）が設けられていることが好ましい。孔又は凹部（４０６）は、筐体（４０）の表面においてねじ部（２２０）と対向する位置に設けられることが好ましい。
【００４１】
第４の態様に係るポール式照明装置（１）は、筐体（４０）の表面に設けられた凹部（４０６）に雄ねじ（第１の雄ねじ２２Ａ）のねじ部（２２０）の先端が差し込まれる。その結果、第３の態様に係るポール式照明装置（１）は、筐体（４０）とねじ部（２２０）の先端との距離のばらつきがあってもねじ部（２２０）の先端と筐体（４０）との距離を所定の距離以下に保つことができる。
【００４２】
第５の態様に係るポール式照明装置（１）は、第１〜第４のいずれか一つとの組合せにより実現され得る。第５の態様に係るポール式照明装置（１）において、電源装置（４）の筐体（４０）は、ねじ部（２２０）と対向する位置の表面に複数の凹凸（凹凸部５１）が形成されていることが好ましい。
【００４３】
第５の態様に係るポール式照明装置（１）は、雄ねじ（第１の雄ねじ２２Ａ）のねじ部（２２０）の先端と筐体（４０）の表面の複数の凹凸（凹凸部５１）との間に働く摩擦力を増大させることにより、電源装置（４）のぐらつきの更なる抑制を図ることができる。
【００４４】
第６の態様に係るポール式照明装置（１）は、第１〜第５の態様のいずれか一つとの組合せにより実現され得る。第６の態様に係るポール式照明装置（１）において、電源装置（４）の筐体（４０）は、ポール本体（２０）の内壁面から突き出たフック（２０２）に引っ掛けられる引掛部（４２２）を有することが好ましい。
【００４５】
第６の態様に係るポール式照明装置（１）は、地震の揺れによって電源装置（４）が移動する範囲を雄ねじ（第１の雄ねじ２２Ａ）により規制することができる。その結果、第５の態様に係るポール式照明装置（１）は、引掛部（４２２）がフック（２０２）から外れて電源装置（４）が照明用ポール（２）のポール本体（２０）の底に落下することを防止できる。
【符号の説明】
【００４６】
１  ポール式照明装置
２  照明用ポール
３  照明器具
４  電源装置
２０  ポール本体
２１  蓋
２２  雄ねじ
２２Ａ  第１の雄ねじ
３０  ＬＥＤユニット（光源）
３１  器具本体
４０  筐体
４１  電源回路
５０  緩衝部材
５１  凹凸部（複数の凹凸）
２００  開口部
２０１  孔
２０２  フック
２１０  孔
２２０  ねじ部
４０６  凹部
４２２  引掛部
【図１】
2019192457.tif 000003
【図２】
2019192457.tif 000004
【図３】
2019192457.tif 000005
【図４】
2019192457.tif 000006
【図５】
2019192457.tif 000007
【図６】
2019192457.tif 000008